(57)【要約】【課題】線を含む画像を印刷する場合に、線とその線近傍に印刷される図形との間に位置ズレが生じても線近傍の印刷の質感を維持することができる画像処理装置及び画像処理プログラムを提供すること。【解決手段】ＭＦＰ１は、画像データを階調処理する場合に、図形から所定間隔以内に線が位置する図形データについては、ドット集中型の印刷パターンを形成する線近傍用データ１２ｂ２を使用して階調処理し、それ以外のデータについては、万線パターンを形成するディザデータ１２ｂ１を使用して階調処理する。線近傍の図形データをドット集中型の印刷パターンにより形成することで、図７（ｃ）で示すように位置ズレした場合でも枠線３０１と四角形３０２とが影響し合うことを抑制でき、印刷の質感を維持することができる。【選択図】図７
2008193176.tif 000002
【特許請求の範囲】
【請求項１】
線データを形成する線描画命令及び前記線データ以外の図形データを形成する図形描画命令を含む画像データに従って、描画領域に前記線データ及び前記図形データを形成する描画手段を備えた画像処理装置であって、
前記図形データを所定のディザデータを用いたディザ法により階調処理するディザ処理手段と、
そのディザ処理手段で用いられる前記ディザデータとは異なるディザデータを用いたディザ法により又はディザ法とは異なるアルゴリズムで前記図形データを階調処理する階調処理手段と、
前記描画領域に形成された図形データの位置から所定間隔以内に線データが形成されているかを判定する判定手段とを備え、
その判定手段により、所定間隔以内に前記線データが形成されていると判定された図形データについては、その階調処理を前記階調処理手段により行い、所定間隔以内に前記線データが形成されていないと判定された図形データについては、その階調処理を前記ディザ処理手段により行うことを特徴とする画像処理装置。
【請求項２】
前記階調処理手段は、ドット集中型のディザパターンを形成するディザデータを用いたディザ法で前記図形データを階調処理することを特徴とする請求項１記載の画像処理装置。
【請求項３】
前記階調処理手段は、前記ディザ処理手段で用いられる前記ディザデータよりも線数が多いディザデータを用いたディザ法で前記図形データを階調処理することを特徴とする請求項１記載の画像処理装置。
【請求項４】
前記階調処理手段は、誤差拡散法で前記図形データを階調処理することを特徴とする請求項１記載の画像処理装置。
【請求項５】
前記描画手段は、前記描画領域に前記線データとして画素値及び前記図形データとして画素値を形成するものであり、
前記画像データから前記線描画命令及び前記図形描画命令を読み込む命令読込手段と、
その命令読込手段で読み込んだ前記線描画命令及び前記図形描画命令に従って、前記描画手段により前記描画領域に画素値を形成し、その画素値が前記線描画命令に従って形成された画素値であるか及び前記図形描画命令に従って形成された画素値であるかを示す属性を属性記憶領域に記憶する属性記憶手段とを備え、
前記判定手段は、前記属性記憶領域に記憶された画素値の属性に基づいて、前記描画領域に形成された前記図形データの位置から所定間隔以内に前記線データが形成されているかを判定することを特徴とする請求項１から４のいずれかに記載の画像処理装置。
【請求項６】
前記判定手段は、前記図形描画命令に基づく画素値により形成される画素から、上下方向の第１所定数の画素の中または左右方向の第２所定数の画素の中に、前記線描画命令に基づく画素値により形成される画素が含まれるかを判定することを特徴とする請求項５記載の画像処理装置。
【請求項７】
前記ディザデータは、前記描画領域に形成される画素のうち、上下方向に連続する第３所定数の画素と左右方向に連続する前記第３所定数の画素とで定まる画素に対応するディザパターンを形成するためのデータあり、
前記所定間隔は、前記第３所定数の整数倍の画素であることを特徴とする請求項５記載の画像処理装置。
【請求項８】
前記所定間隔は、８の整数倍の画素であることを特徴とする請求項７記載の画像処理装置。
【請求項９】
前記判定手段により、前記図形データの位置から前記所定間隔以内に前記線データが形成されていると判定された場合は、前記所定間隔以内に前記線データが形成されている領域の前記図形データを前記階調処理手段により階調処理することを特徴とする請求項１から８のいずれかに記載の画像処理装置。
【請求項１０】
線データを形成する線描画命令及び線データ以外の図形データを形成する図形描画命令を含む画像データを処理するコンピュータに実行させる画像処理プログラムにおいて、
前記画像データに従って描画領域に前記線データ及び前記図形データを形成する描画ステップと、
前記線データ及び前記図形データを所定のディザデータを用いたディザ法により階調処理するディザ処理ステップと、
そのディザ処理ステップで用いられる前記ディザデータとは異なるディザデータを用いたディザ法により又はディザ法とは異なるアルゴリズムで前記図形データを階調処理する階調処理ステップと、
前記描画領域に形成された前記図形データの位置から所定間隔以内に前記線データが形成されているかを判定する判定ステップとを前記コンピュータに実行させるものであり、
その判定ステップにより、所定間隔以内に前記線データが形成されていると判定された図形データについては、その階調処理を前記階調処理ステップにより行い、所定間隔以内に前記線データが形成されていないと判定された図形データについては、その階調処理を前記ディザ処理ステップにより行わせることを特徴とする画像処理プログラム。
【発明の詳細な説明】
【技術分野】
【０００１】
本発明は、画像処理装置及び画像処理プログラムに関し、特に、線を含む画像を印刷する場合に、線とその線近傍に印刷される図形との間に位置ズレが生じても線近傍の印刷の質感を維持することができる画像処理装置及び画像処理プログラムに関するものである。
【背景技術】
【０００２】
従来より、複数色で構成される画像データをプリンタで印刷する場合に、画像データの各画素の色をプリンタで印刷可能な印刷色（例えば、ＣＭＹＫ）毎のデータに分離し、その分離されたデータを印刷色毎に印刷して画像を形成する画像処理装置が知られている。
【０００３】
図９は、タンデム方式のレーザプリンタによって各印刷色毎に画像データが印刷されている様子を概略的に示した図である。図９に示すように、タンデム方式のレーザプリンタは、印刷色毎にドラムを有し、各ドラムが並列に設置されている。タンデム方式では、各ドラムが同時に印刷を進行するため印刷速度は速いが、各ドラムによる印刷の位置がズレ易く、印刷の位置ズレ（色ズレ）が起こり易いという問題点がある。
【０００４】
一方、図１０（ａ）は、パーソナルコンピュータ（以下「ＰＣ」と称す）の外観図を示したものである。ＰＣの画面には、画像データ３００が表示されており、画像データ３００は、枠線３０１と、枠線３０１の内側に形成される四角形３０２とにより構成されている。枠線３０１は、ある色（例えば、黒色）で形成されており、四角形３０２は、枠線３０１と異なる色（例えば、シアン）で全域が塗り潰されている。
【０００５】
図１０（ｂ）は、タンデム方式のレーザプリンタで画像データ３００を印刷した記録用紙の一例を示した図である。図１０（ｂ）において、図面に向かって右側には画像データ３００が印刷された記録用紙を示し、左側には印刷された記録用紙の一部（図中Ｘ領域）を拡大した拡大図を示している。図１０（ｂ）は、画像データ３００が記録用紙に、正常に印刷された状態を示しており、枠線３０１と四角形３０２とは位置ズレ無く印刷されている。なお、四角形３０２は、図１０（ｂ）の左側の拡大図に示すように、規則的に密に並んだ平行線のパターン（万線パターン）により形成されている。そして、この平行線の太さや数、さらには形状を画像の濃淡に応じて変化させることで、色の階調を表現している。
【０００６】
図１１（ａ），（ｂ）は、タンデム方式のレーザプリンタで図１０（ａ）の画像データ３００を印刷した記録用紙の一例を示している。図１１（ａ），（ｂ）の各々において、図面に向かって右側には画像データ３００が印刷された記録用紙を示し、左側には印刷された記録用紙の一部（図中Ｘ領域）を拡大した拡大図を示している。画像データ３００を記録用紙に印刷した場合に、本来は枠線３０１内に印刷されるべき四角形３０２が、図１１（ａ）は図面に向かって右側に印刷位置がズレて印刷された状態を、図１１（ｂ）は図面に向かって左側に印刷位置がズレて印刷された状態を、それぞれ示している。
【０００７】
図１１（ａ）のＸ領域では、枠線３０１と四角形３０２と間に隙間が生じて印刷されている。このように枠線３０１と四角形３０２との間に隙間が生じると、図１１（ａ）の右図に示すように、実線で形成される枠線３０１のうち、万線パターンとの間に隙間がある枠線３０１は、万線パターンの影響により点線で形成されているように見える。また、図１１（ｂ）の左側のＸ領域では、枠線３０１を越えて四角形３０２がはみ出して印刷されている。このように枠線３０１を越えて四角形３０２がはみ出すと、図１１（ｂ）の右図に示すように、実線で形成される枠線３０１のうち、万線パターンのはみ出しが見られる枠線３０１は、万線パターンの影響により波線で形成されているように見える。
【０００８】
そして、上記問題点を解決するために、特許文献１では、図１２（ａ）に示すように枠線３０１を太く印刷している。このように枠線３０１を通常より太く印刷すれば、枠線３０１と四角形３０２の印刷位置がズレたとしても、枠線３０１が太く印刷されている分、四角形３０２は枠線３０１を太くした範囲に印刷される。よって、枠線３０１と万線パターンとの間に隙間が無くなり、図１２（ｃ）に示すように枠線３０１は点線に見えなくなる。同様に、枠線３０１を越えて四角形３０２がはみ出す場合でも、図１２（ｂ）に示すように枠線３０１を太くすることにより、はみ出し部分が線で塗り潰されるので、図１２（ｃ）に示すように枠線３０１は波線に見えなくなる。
【特許文献１】特開平１０−２６４４５３号公報（００４６段落など）
【発明の開示】
【発明が解決しようとする課題】
【０００９】
しかしながら、上述した特許文献１に記載された技術を用いて、画像データ３００を印刷すると、図１１（ｃ）に示すように、枠線３０１がＰＣで表示されていたよりも太く印刷されるため、ＰＣに表示されている画像データ３００（図９参照）と同様な質感の印刷結果を得られないという問題点があった。
【００１０】
本発明は、上述した問題を解決するためになされたものであり、線を含む画像を印刷する場合に、線とその線近傍に印刷される図形との間に位置ズレが生じても線近傍の印刷の質感を維持することができる画像処理装置及び画像処理プログラムを提供することを目的とする。
【課題を解決するための手段】
【００１１】
この目的を達成するために、請求項１記載の画像処理装置は、線データを形成する線描画命令及び前記線データ以外の図形データを形成する図形描画命令を含む画像データに従って、描画領域に前記線データ及び前記図形データを形成する描画手段を備えたものであり、前記図形データを所定のディザデータを用いたディザ法により階調処理するディザ処理手段と、そのディザ処理手段で用いられる前記ディザデータとは異なるディザデータを用いたディザ法により又はディザ法とは異なるアルゴリズムで前記図形データを階調処理する階調処理手段と、前記描画領域に形成された図形データの位置から所定間隔以内に線データが形成されているかを判定する判定手段とを備え、その判定手段により、所定間隔以内に前記線データが形成されていると判定された図形データについては、その階調処理を前記階調処理手段により行い、所定間隔以内に前記線データが形成されていないと判定された図形データについては、その階調処理を前記ディザ処理手段により行う。
【００１２】
請求項２記載の画像処理装置は、請求項１記載の画像処理装置において、前記階調処理手段は、ドット集中型のディザパターンを形成するディザデータを用いたディザ法で前記図形データを階調処理する。
【００１３】
請求項３記載の画像処理装置は、請求項１記載の画像処理装置において、前記階調処理手段は、前記ディザ処理手段で用いられる前記ディザデータよりも線数が多いディザデータを用いたディザ法で前記図形データを階調処理する。
【００１４】
請求項４記載の画像処理装置は、請求項１記載の画像処理装置において、前記階調処理手段は、誤差拡散法で前記図形データを階調処理する。
【００１５】
請求項５記載の画像処理装置は、請求項１から４のいずれかに記載の画像処理装置において、前記描画手段は、前記描画領域に前記線データとして画素値及び前記図形データとして画素値を形成するものであり、前記画像データから前記線描画命令及び前記図形描画命令を読み込む命令読込手段と、その命令読込手段で読み込んだ前記線描画命令及び前記図形描画命令に従って、前記描画手段により前記描画領域に画素値を形成し、その画素値が前記線描画命令に従って形成された画素値であるか及び前記図形描画命令に従って形成された画素値であるかを示す属性を属性記憶領域に記憶する属性記憶手段とを備え、前記判定手段は、前記属性記憶領域に記憶された画素値の属性に基づいて、前記描画領域に形成された前記図形データの位置から所定間隔以内に前記線データが形成されているかを判定する。
【００１６】
請求項６記載の画像処理装置は、請求項５記載の画像処理装置において、前記判定手段は、前記図形描画命令に基づく画素値により形成される画素から、上下方向の第１所定数の画素の中または左右方向の第２所定数の画素の中に、前記線描画命令に基づく画素値により形成される画素が含まれるかを判定する。
【００１７】
請求項７記載の画像処理装置は、請求項５記載の画像処理装置において、前記ディザデータは、前記描画領域に形成される画素のうち、上下方向に連続する第３所定数の画素と左右方向に連続する前記第３所定数の画素とで定まる画素に対応するディザパターンを形成するためのデータあり、前記所定間隔は、前記第３所定数の整数倍の画素である。
【００１８】
請求項８記載の画像処理装置は、請求項７記載の画像処理装置において、前記所定間隔は、８の整数倍の画素である。
【００１９】
請求項９記載の画像処理装置は、請求項１から８のいずれかに記載の画像処理装置において、前記判定手段により、前記図形データの位置から前記所定間隔以内に前記線データが形成されていると判定された場合は、前記所定間隔以内に前記線データが形成されている領域の前記図形データを前記階調処理手段により階調処理する。
【００２０】
請求項１０記載の画像処理プログラムは、線データを形成する線描画命令及び線データ以外の図形データを形成する図形描画命令を含む画像データを処理するコンピュータに実行させるプログラムであって、前記画像データに従って描画領域に前記線データ及び前記図形データを形成する描画ステップと、前記線データ及び前記図形データを所定のディザデータを用いたディザ法により階調処理するディザ処理ステップと、そのディザ処理ステップで用いられる前記ディザデータとは異なるディザデータを用いたディザ法により又はディザ法とは異なるアルゴリズムで前記図形データを階調処理する階調処理ステップと、前記描画領域に形成された前記図形データの位置から所定間隔以内に前記線データが形成されているかを判定する判定ステップとを前記コンピュータに実行させるものであり、その判定ステップにより、所定間隔以内に前記線データが形成されていると判定された図形データについては、その階調処理を前記階調処理ステップにより行い、所定間隔以内に前記線データが形成されていないと判定された図形データについては、その階調処理を前記ディザ処理ステップにより行わせる。
【発明の効果】
【００２１】
請求項１記載の画像処理装置によれば、描画手段により描画領域に形成される線データ及び図形データは、ディザ処理手段または階調処理手段により階調処理される。ディザ処理手段では、所定のディザデータを用いたディザ法により階調処理され、階調処理手段では、ディザ処理手段で用いられるディザデータとは異なるディザデータを用いたディザ法により又はディザ法とは異なるアルゴリズムを用いて階調処理される。ここで、判定手段により、所定間隔以内に線データが形成されていると判定された図形データについては、階調処理手段により階調処理される。よって、図形データをディザ処理手段により階調処理すると、線に影響を与えるディザパターンが形成される場合であっても、線近傍の図形データは、階調処理手段により階調処理されるので、ディザパターンが線に与える影響を抑制することができる。したがって、図形データと線データとが位置ズレを起こして印刷される場合でも、線近傍の印刷の質感を維持することができるという効果がある。
【００２２】
請求項２記載の画像処理装置によれば、請求項１記載の画像処理装置の奏する効果に加え、判定手段により、所定間隔以内に線データが形成されていると判定された図形データについては、階調処理手段により、ドット集中型のディザパターンを形成するディザデータを用いたディザ法で階調処理される。ドット集中型のディザパターンは線に影響を与え難いので、図形と線との間に隙間が生じたり、図形が線からはみ出しても、印刷された線に影響を与え難い。よって、図形データと線データとが位置ズレを起こして印刷される場合でも、線近傍の印刷の質感を維持することができるという効果がある。
【００２３】
請求項３記載の画像処理装置によれば、請求項１記載の画像処理装置の奏する効果に加え、判定手段により、所定間隔以内に線データが形成されていると判定された図形データについては、階調処理手段により、ディザ処理手段で用いられるディザデータよりも線数が多いディザデータを用いたディザ法で階調処理されるので、線近傍の画像データがより精細なパターンで形成されることとなり、図形データと線データとが位置ズレを起こして印刷される場合でも、線近傍の印刷の質感を維持することができるという効果がある。
【００２４】
請求項４記載の画像処理装置によれば、請求項１記載の画像処理装置の奏する効果に加え、判定手段により、所定間隔以内に線データが形成されていると判定された図形データについては、階調処理手段により、誤差拡散法で階調処理される。誤差拡散法で階調処理されたパターンは、図形と線との間に隙間が生じたり、図形から線がはみ出しても、印刷された線に影響を与え難い。よって、図形データと線データとが位置ズレを起こして印刷される場合でも、線近傍の印刷の質感を維持することができるという効果がある。
【００２５】
請求項５記載の画像処理装置によれば、請求項１から４のいずれかに記載の画像処理装置の奏する効果に加え、命令読込手段により画像データから線描画命令と図形描画命令とが読み込まれると、属性記憶手段により、その読み込まれた線描画命令と図形描画命令とに従って、描画手段により描画領域に画素値が形成され、その画素値が線描画命令と図形描画命令とに従って形成された画素値であるかを示す属性が属性記憶領域に記憶される。判定手段により、属性記憶領域に記憶された画素値の属性に基づいて、描画領域に形成された図形データの位置から所定間隔以内に線データが形成されているかが判定されるので、図形データを形成する１つの画素から、所定間隔以内に線データを形成する画素が形成されているか否かを判定することができるという効果がある。
【００２６】
請求項６記載の画像処理装置は、請求項５記載の画像処理装置の奏する効果に加え、判定手段は、図形描画命令により形成される画素から、上下方向の第１所定数の画素の中または左右方向の第２所定数の画素の中の４方向の画素について判定するので、線データの存否を確実に判断することができるという効果がある。また、上下左右の４方向の画素について線データの存否を判定するので、上下方向と左右方向と斜め方向との８方向の画素ついて判定するよりも判定処理が少なくて済むため、処理が速いという効果がある。
【００２７】
請求項７記載の画像処理装置は、請求項５記載の画像処理装置の奏する効果に加え、所定間隔は、第３所定数の整数倍の画素であるので、その所定間隔にディザデータを用いてディザパターンを形成することができるという効果がある。
【００２８】
請求項８記載の画像処理装置は、請求項７記載の画像処理装置の奏する効果に加え、所定間隔は、８の整数倍の画素であるので、その所定間隔に、例えば縦８×横８のディザデータを用いて縦８×横８のディザパターンを形成することができるという効果がある。
【００２９】
請求項９記載の画像処理装置は、請求項１から８のいずれかに記載の画像処理装置の奏する効果に加え、判定手段により、図形データの位置から所定間隔以内に線データが形成されていると判定された場合は、所定間隔以内に線データが形成されている領域の図形データを階調処理手段により階調処理するので、線近傍のディザパターンが線に与える影響を抑制することができる。したがって、図形データと線データとが位置ズレを起こして印刷される場合でも、線近傍の印刷の質感を維持することができるという効果がある。
【００３０】
請求項１０記載の画像処理プログラムによれば、描画ステップにより描画領域に形成される線データ及び図形データは、ディザ処理ステップまたは階調処理ステップにより階調処理される。ディザ処理ステップでは、所定のディザデータを用いたディザ法により階調処理され、階調処理ステップでは、ディザ処理手段で用いられるディザデータとは異なるディザデータを用いたディザ法により又はディザ法とは異なるアルゴリズムを用いて階調処理される。ここで、判定ステップにより、所定間隔以内に線データが形成されていると判定された図形データについては、階調処理ステップにより階調処理される。よって、図形データをディザ処理ステップにより階調処理すると、線に影響を与えるディザパターンが形成される場合であっても、線近傍の図形データは、階調処理ステップにより階調処理されるので、ディザパターンが線に与える影響を抑制することができる。したがって、図形データと線データとが位置ズレを起こして印刷される場合でも、線近傍の印刷の質感を維持することができるという効果がある。
【発明を実施するための最良の形態】
【００３１】
以下、本発明の好ましい実施形態について、添付図面を参照して説明する。図１は、本発明の実施形態における画像処理装置を有した多機能周辺装置（以下、「ＭＦＰ（Ｍｕｌｔｉ  Ｆｕｎｃｔｉｏｎ  Ｐｅｒｉｐｈｅｒａｌ）」と称す）１とパーソナルコンピュータ（以下、「ＰＣ」と称す）３１との接続関係を示した接続図である。このＭＦＰ１は、プリンタ機能、スキャナ機能、及び、コピー機能などの各種の機能を有している。図１に示すように、ＭＦＰ１とＰＣ３１とは、ＵＳＢケーブル２００より接続されており、お互いにデータ通信を行うことができるように構成されている。ＰＣ３１は画像データを、ＵＳＢケーブル２００を介してＭＦＰ１に送信し印刷させることができる。
【００３２】
ＭＦＰ１の本体の前面には、開口部２が設けられ内部が上下に仕切られている。開口部２の下側には、複数枚の記録用紙を積層収納可能な給紙カセット３が挿入されている。給紙カセット３は、Ａ４サイズ、レターサイズ、はがきサイズ等にカットされた記録用紙が収納可能に構成されている。開口部２の上側は記録済みの記録用紙が排紙される排紙部４となっており、記録済みの記録用紙は矢印Ａ方向に排出される。
【００３３】
開口部２の上部には、スキャナ機能やコピー機能の実行時における原稿読取などのための画像読取装置（図示しない）が配置されている。原稿カバー体５の下側には、原稿を載置するための載置用ガラス板が設けられており、原稿を読み取る場合は、原稿カバー体５を上側に開き、載置用ガラス板上に原稿を載置し、原稿カバー体５を閉じて原稿を固定する。操作キー１５の原稿読取ボタンを押下すると、載置用ガラス板の下側に設けられている原稿読取り用のスキャナ２０により原稿紙面の画像が読み取られる。読み取られた画像データは後述のＲＡＭ１３（図２参照）における所定の記憶領域に格納される。なお、スキャナ２０にて原稿を読み取るセンサーは、例えばＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｄｅ）が用いられている。
【００３４】
原稿カバー体５の前方には、操作キー１５が設けられており、より具体的には、数値や文字などを入力する入力キー群１５ａと、各種コマンドを入力するコマンド入力キー群１５ｂと、メニューや操作手順や実行中の処理の状態を表示するためのＬＣＤ１６とが設けられている。利用者は、上記操作キー１５を押下することで、電源のオン／オフや、各機能の切り替えなどの操作を行うことができる。そして、ＬＣＤ１６には、操作キー１５の押下に対応する情報が表示されるので、印刷する画像データやプリンタ２１（図２参照）などの各種情報を確認することができる。
【００３５】
開口部２の前面であって、入力キー群１５ａの下方には、メモリカードを挿入するためのメモリカードスロット２２が設けられている。なお、ＭＦＰ１には、メモリカードに格納されている画像データをプリンタ機能によってＰＣ３１を介さすに印刷することができるダイレクト印刷機能を有している。また、図示しないが、開口部２の背面には、ＵＳＢケーブル２００の一端側が差し込まれる接続口であるＵＳＢインターフェイス１８（図２参照）が開口している。ＵＳＢケーブル２００の一端側を、ＵＳＢインターフェイス１８の接続口に接続し、他端側をＰＣ３１のＵＳＢインターフェイス３６（図２参照）に接続することにより、ＭＦＰ１とＰＣ３１とはＵＳＢケーブル２００を介してデータ通信可能となるように構成されている。
【００３６】
次に、図２を参照して、ＭＦＰ１とＰＣ３１との電気的構成について説明する。図２は、ＭＦＰ１とＰＣ３１との電気的構成を示すブロック図である。ＭＦＰ１は、ＣＰＵ１１、ＲＯＭ１２、ＲＡＭ１３、操作キー１５、ＬＣＤ１６、スピーカ１７、ＵＳＢインターフェイス１８、スキャナ２０、プリンタ２１、メモリカードスロット２２とを主に有している。また、ＭＦＰ１のＣＰＵ１１、ＲＯＭ１２、ＲＡＭ１３は、バスライン２６を介してお互いに接続されている。さらに、ＭＦＰ１の操作キー１５、ＬＣＤ１６、スピーカ１７、ＵＳＢインターフェイス１８、スキャナ２０、プリンタ２１、メモリカードスロット２２、バスライン２６は、入出力ポートを介してお互いに接続されている。
【００３７】
ＭＦＰ１のＣＰＵ１１は、ＲＯＭ１２やＲＡＭ１３に記憶される固定値やプログラム或いは、ＭＦＰ１が有している各機能の制御や、ＵＳＢインターフェイス１８を介して送受信される各種信号に従って、入出力ポート２７と接続された各部を制御するものである。ＲＯＭ１２は書換不可能なメモリであり、ＭＦＰ１で実行される各種の制御プログラムを記憶する領域である制御プログラム領域１２ａと、複数のディザデータが記憶されるディザマトリックスメモリ１２ｂとが設けられている。
【００３８】
制御プログラム領域１２ａには、例えば、後述する図３、図４、図６のフローチャートに示す画像処理プログラム（特許請求の範囲に記載の画像処理プログラムの一例）などが記憶されている。ディザマトリックスメモリ１２ｂには、画像データを階調処理するためのディザデータ１２ｂ１と、線近傍の画像データを階調処理するための線近傍用データ１２ｂ２とが記憶されている。
【００３９】
ここで、ディザデータについて説明する。記録用紙に画像を記録する場合は、多値（例えば、ＲＧＢ）で形成される画像から、２値（例えば、白と黒）の画像が形成される。例えば、レーザプリンタであれば、「トナーを記録用紙に転写して画素を形成する」、又は、「トナーを記録用紙に転写して画素を形成しない」の２種類の状態で画像が形成される。その２種類の状態で、画像の階調を表現するために、ディザデータが用いられる。ディザデータは、例えば、縦８×横８の閾値の行列で構成されており、その閾値の行列と、画像データのうち、ある場所の縦８×横８の画素を構成する画素値とが比較される。画素値が閾値よりも大きい場合は「トナーを転写する画素」とし、また画素値が閾値よりも小さい場合は「トナーを転写しない画素」として、縦８×横８の画素の印刷パターンが形成される。そして、残りの画像データに対しても同様な処理を繰り返すことで、２値で画像の階調が表現される。
【００４０】
本実施形態では、ディザデータ１２ｂ１を用いて画像データを階調処理して印刷すると、万線パターンが形成される。万線パターンとは、平行線を規則的に密に並べたように見える印刷パターンのことであり、平行線の間隔や太さ、または角度や数などを変化させることにより階調を表現するものである。ディザデータ１２ｂ１を用いて画像データ３００を階調処理して印刷すると、図７（ａ），（ｂ）の左側の拡大図に示すように、枠線３０１と四角形３０２とは、万線パターンにより形成される。図を分かり易くするために、枠線３０１は、直線で示している。
【００４１】
また、線近傍用データ１２ｂ２を用いて画像データ３００を階調処理して印刷すると、図７（ａ），（ｂ）の右側の拡大図における領域３０３（特許請求の範囲に記載の領域の一例）に示すドット集中型の印刷パターンにより四角形３０２が形成される。
【００４２】
ドット集中型の印刷パターンとは、所定数の画素で構成されるブロック（例えば縦８×横８画素）を規則的に並べ、各ブロックの中心を基準として、ドット形状を大きくしたり小さくすることにより階調を表現するものである。このドット集中型の印刷パターンは、枠線３０１と四角形３０２との間に隙間が生じて印刷されたり、枠線３０１を越えて四角形３０２がはみ出して印刷された場合でも、図７（ｃ）に示すように枠線３０１と四角形３０２とが影響し合うことを抑制でき、印刷の質感を維持することができる印刷パターンである。
【００４３】
ＲＡＭ１３は、各種のデータを一時的に記憶するための書換可能なメモリであり、描画命令メモリ１３ａ、描画領域１３ｂ、罫線記憶領域１３ｃ、色変換領域１３ｄ、２値化データ領域１３ｅとが設けられている。
【００４４】
描画命令メモリ１３ａは、ＰＣ３１から画像データが入力される領域である。画像データについて詳細は後述するが、画像を形成するための各種描画命令を有したページ記述言語（ＰＤＬ）で構成されており、その各種描画命令に基づいて、描画領域１３ｂに画像データが形成される。
【００４５】
描画領域１３ｂは、描画命令に従って形成されるＲＧＢ形式のビットマップ画像データ（以下、「ビットマップデータ」と称す）が記憶される領域である。ビットマップデータとは、格子状に画素を並べて画像を形成するための公知のデータ形式であり、各画素の色を示す画素値が、それぞれの画素について記憶されているデータである。
【００４６】
罫線記憶領域１３ｃは、描画領域１３ｂに記憶されるビットマップデータの各画素が、線や図形を形成する画素であるかのステータスを記憶するための領域である。線描画命令に基づいて形成された画素のステータスは「１」と設定され、図形描画命令に基づいて形成さえた画素のステータスは「２」と設定される。また、初期化された場合は、「０」と設定される。以後、説明を分かり易くするために、値が「０」の場合は「ＯＦＦ」と表記し、「１」の場合は「線」と表記し、「２」の場合は「図」と表記する。
【００４７】
色変換領域１３ｄは、ビットマップデータの形成が終了した描画領域１３ｂにおける各画素値が、ＲＧＢ形式からＣＭＹＫ形式に変換されて記憶される領域である。変換されたＣＭＹＫ形式の各画素値は、複数の色（ここでは、Ｃ（シアン）、Ｍ（マゼンタ）、Ｙ（イエロー）、Ｋ（ブラック））データに分割され、２値化データ領域に記憶される。
【００４８】
２値化データ領域１３ｅは、色変換領域１３ｄに記憶されるＣＭＹＫ形式のビットマップデータを、プリンタ２１で印刷可能な印刷色毎（ＣＭＹＫの４色）に２値化したデータが記憶される領域である。２値化されたデータは、プリンタ２１に送信することで、記録用紙に印刷される。
【００４９】
スピーカ１７は、操作キー１５の操作音やエラー発生時の注意音を利用者に報知するものである。プリンタ２１は、詳しくは図示しないが、図9の概念図に示すようにタンデム方式のレーザプリンタである。プリンタ２１は、Ｃ（シアン）、Ｍ（マゼンダ）、Ｙ（イエロー）、Ｋ（ブラック）の４色のトナーを使用する印刷ドラム、紙送り装置を備えカラー印刷を行うことができる。
【００５０】
ＰＣ３１は、ＣＰＵ３２、ＲＯＭ３３、ＲＡＭ３４、ハードディスク３５、ＵＳＢインターフェイス３６、入力装置３７、表示装置３８とを主に有し、これらはバスライン４０を介してお互いに接続されている。
【００５１】
ＣＰＵ３２は、ＲＯＭ３３やＲＡＭ３４やハードディスク３５に記憶される固定値やプログラム或いは、ＰＣ３１が有している各機能の制御や、ＵＳＢインターフェイス３６を介して送受信される各種信号に従って、バスライン４０により接続された各部を制御する。
【００５２】
ＵＳＢインターフェイス３６は、ＵＳＢケーブル２００を用いてＰＣ３１と接続することで、ＭＦＰ１とのデータ通信を可能にする既知の回路である。入力装置３７は、ＰＣ３１を管理したり、ハードディスク３５に格納された各種アプリケーションソフトを利用する場合に使用するものであり、例えば、キーボードやマウスなどの入力装置で構成される。表示装置３８は、ＰＣ３１を管理したり、画像処理ソフトを利用する場合に使用するものであり、例えば、液晶ディスプレイ等の表示装置で構成される。
【００５３】
図３は、ＭＦＰ１の画像処理を示すフローチャートであり、ＰＣ３１で形成された画像データが、描画命令メモリ１３ａ（図２参照）に入力された場合に実行される画像処理である。ここで画像データは、プリンタを制御するためのページ記述言語（ＰＤＬ）で構成されているものとして説明する。ページ記述言語は、画像データを形成するためのプログラミング言語であり、簡単な描画命令で複雑な画像を形成することができる。描画命令は、大別すると、線を形成する線描画命令と、図形（四角形や円など）を形成する図形描画命令と、文字を形成する文字描画命令と、ビットマップデータを形成するイメージ描画命令の４つに分類される。
【００５４】
本実施形態の画像処理では、まず、画像形成処理（Ｓ１）が実行される。図４のフローチャートを参照して、画像形成処理について説明する。画像形成処理では、始めに、描画領域１３ｂと罫線記憶領域１３ｃとを初期化する（Ｓ１１）。ここでの初期化とは、描画領域１３ｂのビットマップデータを消去し、罫線描画領域１３ｃの全てのステータスを「ＯＦＦ」に設定することである。
【００５５】
次に、描画命令メモリ１３ａから描画命令を１命令読み取り（Ｓ１２）、読み取った描画命令に基づいて、描画領域１３ｂにＲＧＢ形式の画素値を記憶する（Ｓ１３）。そして、読み取った描画命令は何であるかを判定し（Ｓ１４）、それが線描画命令である場合は、罫線記憶領域１３ｃにおいて、描画領域１３ｂに記憶した画素に対応する位置のステータスの値を「線」に設定する（Ｓ１５）。一方、読み取った描画命令が、図形描画命令である場合は、罫線記憶領域１３ｃにおいて、描画領域１３ｂに記憶した画素に対応する位置のステータスの値を「図」に設定する（Ｓ１６）。
【００５６】
一方、その他の描画命令である場合は、ステータスの値を変更せずに「ＯＦＦ」の状態を維持し、Ｓ１７の処理に移る。このＳ１１からＳ１７の処理を行うことによって、「図」のステータスを示す画素から、所定間隔以内に「線」のステータスを示す画素が形成されているか否かを判定することができる。
【００５７】
ここで、図４のフローチャートのＳ１２からＳ１７の処理で、描画領域１３ｂと罫線記憶領域１３ｃとに書き込まれるデータついて、図５を参照して説明する。
【００５８】
図５は、描画領域１３ｂと罫線記憶領域１３ｃとの内容を概略的に示したイメージ図である。図面に向かって左側には、描画領域１３ｂのイメージ図を示し、右側には罫線記憶領域１３ｃのイメージ図を示している。罫線記憶領域１３ｃに記憶されるステータスの状態を分かり易く説明するために、罫線記憶領域１３ｃのイメージ図は、「線」を示すステータスを“黒の実線”で示し、「図」を示すステータスを“灰色の塗り潰し”で示し、「ＯＦＦ」を示すステータスを“無地（記載なし）”で示して説明する。
【００５９】
図５（ａ）は、イメージ描画命令に基づく画像と、文字描画命令に基づく文字が書き込まれた状態を示している。図５（ａ）に示すように、イメージ描画命令や文字描画命令が読み込まれた場合は、その描画命令に基づいて描画領域１３ｂにビットマップや文字の画素が形成されるが、罫線記憶領域１３ｃには何も形成されない（Ｓ１２、Ｓ１３）。
【００６０】
図５（ｂ）は、図５（ａ）の状態に、線描画命令に基づく線や罫線と、図形描画命令に基づく図形とが書き込まれた状態を示している。図５（ｂ）に示すように、線描画命令や図形描画命令が読み込まれた場合は、罫線記憶領域１３ｃに描画領域１３ｂに形成された各画素に対応するステータスの値が記憶される（Ｓ１４〜Ｓ１６）。
【００６１】
ここで、図４のフローチャートの説明に戻る。次に、描画命令メモリ１３ａに入力された描画命令を全て読み取ったかを判定し（Ｓ１７）、描画命令メモリ１３ａに入力された描画命令を全て読み取った場合は（Ｓ１７：Ｙｅｓ）、Ｓ１８の処理に移る。一方、描画命令メモリ１３ａに入力された描画命令を全て読み取っていない場合は（Ｓ１７：Ｎｏ）、Ｓ１２の処理へ戻り、前述したＳ１２からＳ１６の各処理を繰り返す。
【００６２】
次に、罫線記憶領域１３ｃから、１つのステータス値を読み取り（Ｓ１８）、読み取ったステータスの値が「図」に設定されているかを判定する（Ｓ１９）。読み取ったステータスの値が「図」に設定されている場合は（Ｓ１９：Ｙｅｓ）、読み取ったステータスから所定間隔以内に、「線」に設定されたステータスがあるかを判定する（Ｓ２０）。本実施形態では、所定間隔として、上下方向に検索する画素数である第１所定数と左右方向に検索する画素数である第２所定数とは同一の値とし、ディザデータを用いた印刷パターンを形成するために必要な縦方向（又は横方向）の最小画素数を用いる。例えば、ディザデータが縦８×横８のマトリックスで形成されている場合は、８（特許請求の範囲に記載の第３所定数の一例）画素分を所定間隔として設定する。そして、この判定では、「図」に設定されているステータスから、上下方向と左右方向との４方向のステータスについて値を判定するので、上下方向と左右方向と斜め方向との８方向のステータスついて値を判定するよりも判定処理が少なくて済むため、処理が速い。
【００６３】
Ｓ２０の処理において、読み取ったステータスから所定間隔以内に、「線」に設定されたステータスがない場合は（Ｓ２０：Ｎｏ）、読み取ったステータスの値を「ＯＦＦ」に設定する（Ｓ２１）。一方、Ｓ１９の処理において、読み取ったステータスの値が「図」に設定されていない場合と（Ｓ１９：Ｎｏ）、Ｓ２０の処理において読み取ったステータスから所定間隔以内に「線」に設定されたステータスがある場合（Ｓ２０：Ｙｅｓ）とは、ステータスの値を変更せずに、Ｓ２２の処理に移る。
【００６４】
そして、罫線記憶領域１３ｃのステータスを全て読み取ったかを判断し（Ｓ２２）、罫線記憶領域１３ｃのステータスを全て読み取っていない場合は（Ｓ２２：Ｎｏ）、Ｓ１８の処理に戻り、前述したＳ１８からＳ２１の各処理を繰り返す。一方、罫線記憶領域１３ｃのステータスを全て読み取った場合は（Ｓ２２：Ｙｅｓ）、画像形成処理を終了する。この図４のフローチャートの処理により、図形描画命令で形成された画素のうち、所定間隔以内に線描画命令で形成された画素があるものを記憶しておくことができる。
【００６５】
図５（ｃ）は、図５（ｂ）の状態で、「図」に設定されているステータスのうち、所定間隔以内に「線」に設定されたステータスがあるものが残された状態を示している。画像形成処理（Ｓ１）によれば、図５（ｃ）に示す内容のデータが、描画領域１３ｂと罫線記憶領域１３ｃとに形成される（Ｓ１８〜Ｓ２１）。
【００６６】
次に、図３のフローチャートに示す印刷データ変換処理（Ｓ２）を実行する（図３参照）。印刷データ変換処理（Ｓ２）について、図６のフローチャートを参照して説明する。印刷データ変換処理（Ｓ２）では、始めに、描画領域１３ｂから、１つの画素値（ＲＧＢ）を読み取り（Ｓ３１）、読み取った画素値をＲＧＢ形式から、公知の手法にてＣＭＹＫ形式に変換し、読み取った画素の位置に対応する色変換領域１３ｄの位置に、その値を記憶する（Ｓ３２）。次に、罫線記憶領域１３ｃにおいて、読み取った画素の位置に対応するステータスの値が「図」であるか判定し（Ｓ３３）、読み取った画素の位置に対応するステータスの値が「図」である場合は（Ｓ３３：Ｙｅｓ）、線近傍用データ１２ｂ２を用いて、ＣＭＹＫ形式に変換した画素値を２値化し、各色（ＣＭＹＫ）の値をそれぞれ２値化データ領域１３ｅに記憶する（Ｓ３４）。一方、読み取った画素の位置に対応するステータスの値が「図」でない場合は（Ｓ３３：Ｎｏ）、ディザデータを用いて画素値（ＣＭＹＫ）を２値化し、各色（ＣＭＹＫ）の値をそれぞれ２値化データ領域に記憶する（Ｓ３５）。
【００６７】
次に、描画領域１３ｂの画素値を全て読み取ったか判断し（Ｓ３６）、描画領域１３ｂの画素値を全て読みっていない場合は（Ｓ３６：Ｎｏ）、Ｓ３１の処理に戻り、前述したＳ３１からＳ３５の各処理を繰り返す。一方、描画領域１３ｂの画素値を全て読み取った場合は（Ｓ３６：Ｙｅｓ）、処理を終了する。
【００６８】
この図６のフローチャートの処理により、描画領域１３ｂにおいて、図形描画命令で形成された画素のうち、線描画命令で形成された画素から所定間隔以内に位置する画素を、線近傍用データ１２ｂ２を用いて２値化処理することができる。
【００６９】
印刷データ変換処理（Ｓ２）の終了後は、２値化データ領域１３ｅに記憶した、ＣＭＹＫに２値化したデータを、それぞれプリンタ２１に送信し（Ｓ３）、処理を終了する（図３参照）。
【００７０】
次に、図７を参照して、画像データ３００（図９参照）をＭＦＰ１で階調処理し、プリンタ２１で印刷した場合の印刷結果について説明する。
【００７１】
図７（ａ）、（ｂ）において、図面に向かって左側は、通常のレーザプリンタで印刷位置のズレが生じた場合の拡大図を、図面に向かって右側の図は、画像データ３００（図１０参照）をＭＦＰ１で階調処理して印刷した場合の拡大図を示している。そしてこれらは、図７（ｃ）に示す記録用紙の一部（図中領域Ｘ）を拡大した拡大図である。それぞれの拡大図は、印字位置がズレて印刷された状態を示している。ＭＦＰ１では、画像データ３００（図１０参照）の所定の領域を線近傍用データ１２ｂ２（図２参照）を用いて階調処理され、その他の領域をディザデータ１２ｂ１（図２参照）を用いて階調処理される。
【００７２】
それぞれの四角形３０２において、所定間隔以内に枠線３０１が位置する領域３０３では、線近傍用データ１２ｂ２が使用される。そして本実施形態の線近傍用データではドット集中型の印刷パターンが形成される。それ以外の領域は、ディザデータ１２ｂ１が使用されて万線パターンが形成される。このように、線近傍の図形データをドット集中型の印刷パターンにより形成することで、図７（ｃ）で示すように位置ズレした場合でも枠線３０１と四角形３０２とが影響し合うことを抑制でき、印刷の質感を維持することができる。また、枠線３０１も太くしないため、画像データ３００（図１０参照）に近い印刷結果を得ることができる。
【００７３】
これに対し、図７（ａ）、（ｂ）において、図面に向かって左側の図は、画像データ３００（図１０参照）をディザデータ１２ｂ１（図２参照）のみを用いて階調処理した場合の拡大図であり、共に印刷位置がズレて印刷された状態を示している。それぞれの四角形３０２は、ディザデータ１２ｂ１が使用されて階調処理されているため、万線パターンにより形成されている。このような場合は、枠線３０１と四角形３０２とが万線パターンの影響で、図７（ａ）は、図１０（ａ）の右図に示すように、実線と点線とで形成されているように見え、図７（ｂ）は、図１０の（ｂ）の右図に示すように、実線と波線とで形成されているように見えてしまうという不具合が生じ得るのである。
【００７４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００７５】
例えば、上記実施形態では、線近傍用データ１２ｂ２として、ドット集中型の印刷パターンを形成するディザデータを用いたが、ディザデータ１２ｂ１により形成される万線パターンよりも線数が多いディザデータを用いて階調処理を行うように構成してもよい。
【００７６】
図８（ａ）は、線近傍用データ１２ｂ２として、ディザデータ１２ｂ１により形成される万線パターンよりも線数が多いディザデータを用いて画像データ３００（図１０参照）を階調処理し、プリンタ２１で印刷した記録用紙の一例を示した図である。図８（ａ）に示すような印刷パターンを形成し、線と印刷パターンとに生じる影響を抑えても良い。この階調処理で形成される印刷パターンは、線と図形との間に隙間が生じたり、はみ出しが生じても、印刷された線に影響を与えにくいので、線近傍の印刷の質感を維持することができる。
【００７７】
また、上記実施形態では、線近傍用データ１２ｂ２として、ドット集中型の印刷パターンを形成するディザデータを用いたが、ディザ法とは異なるアルゴリズム（例えば、誤差拡散法）により作成されたデータで階調処理を行うように構成してもよい。
【００７８】
図８（ｂ）は、線近傍用データ１２ｂ２として、誤差拡散法を用いて画像データ３００（図１０参照）を階調処理し、プリンタ２１で印刷した記録用紙の一例を示した図である。図８（ｂ）に示すような印刷パターンを形成し、線と印刷パターンとに生じる影響を抑えても良い。誤差拡散法で階調処理されたパターンは、線と図形との間に隙間が生じたり、はみ出しが生じても、印刷された線に影響を与えにくいので、線近傍の印刷の質感を維持することができる。
【００７９】
また、万線パターンを形成する階調処理よりも、誤差拡散法で印刷パターンを形成する階調処理は複雑であるため、画像データの階調処理には時間が掛かる。しかしながら、画像データ全体にではなく、線近傍の一部分の図形データについてのみ誤差拡散法で印刷パターンを形成する階調処理を行うので、画像データの階調処理の時間は短く、かつ、印刷の質感を維持することができる。
【００８０】
また、上記実施形態では、上下方向を検索する所定距離を示す第１所定数と、左右方向を検索する所定距離を示す第２所定数とは同一の値としたが、第１所定数と第２所定数とを異なる数で構成しても良い。
【００８１】
また、上記実施形態では、ＭＦＰ１により画像データを階調処理しているが、ＰＣ３１のハードディスク３５に、上記実施形態の階調処理を行うプログラムを記憶しておき、ＰＣ３１で画像データの階調処理を行っても良い。
【００８２】
また、上記実施形態では、ＰＣ３１からＭＦＰ１の描画命令メモリ１３ａに画像データが入力されるが、メモリカードスロット２２に挿入された携帯用フラッシュメモリカードに記憶されている画像データを、ＭＦＰ１の操作キー１５を用いて描画命令メモリ１３ａに入力しても良い。
【００８３】
また、上記実施形態ではＭＦＰによる例を挙げたが、通常のレーザプリンタでの実施でもよい。
【００８４】
また、上記実施形態では所定間隔を８ピクセルとしたが、ディザの基準単位の倍数以内であってもよいし、１０ピクセル以内のように基準単位にこだわらなくてもよい。
【図面の簡単な説明】
【００８５】
【図１】本発明の実施形態における画像処理装置を有したＭＦＰとＰＣとの接続図である。
【図２】ＭＦＰとＰＣとの電気的構成を示すブロック図である。
【図３】ＭＦＰの画像処理を示すフローチャートである。
【図４】ＭＦＰの画像形成処理を示すフローチャートである。
【図５】描画領域と罫線記憶領域との内容を概略的に示したイメージ図である。
【図６】ＭＦＰの印刷データ変換処理を示すフローチャートである。
【図７】画像データをＭＦＰで階調処理し、プリンタで印刷した記録用紙の一例を示す図である。
【図８】ドット集中型とは異なる階調処理を行い、プリンタで印刷した記録用紙の一例を示す図である。
【図９】従来のタンデム方式のレーザプリンタを概略的に示した図である。
【図１０】従来の画像形成装置により、ＰＣに表示された画像データを印刷した記録用紙の一例を示す図である。
【図１１】従来の画像形成装置により、位置ズレが生じて画像データが印刷された記録用紙の一例を示す図である。
【図１２】従来の画像形成装置により印刷された記録用紙であって、線を太く印刷した記録用紙の一例を示す図である。
【符号の説明】
【００８６】
１          ＭＦＰ（画像処理装置）
１２ｂ１    ディザデータ（所定のディザデータ）
１２ｂ２    線近傍用データ（所定のディザデータとは異なるディザデータ）
１３ｂ      描画領域
１３ｃ      罫線記憶領域（属性記憶領域）
Ｓ１２                  命令読込手段、命令読込ステップ
Ｓ１３                  描画手段、描画ステップ
Ｓ１４、Ｓ１５、Ｓ１６  属性記憶手段
Ｓ１９、Ｓ２０、Ｓ２１  判定手段、判定ステップ
Ｓ３４                  階調処理手段、階調処理ステップ
Ｓ３５                  ディザ処理手段、ディザ処理ステップ
【図１】
2008193176.tif 000003
【図２】
2008193176.tif 000004
【図３】
2008193176.tif 000005
【図４】
2008193176.tif 000006
【図５】
2008193176.tif 000007
【図６】
2008193176.tif 000008
【図７】
2008193176.tif 000009
【図８】
2008193176.tif 000010
【図９】
2008193176.tif 000011
【図１０】
2008193176.tif 000012
【図１１】
2008193176.tif 000013
【図１２】
2008193176.tif 000014